(57)【要約】【課題】  スキャンした画像データをE-mailに添付してクライアントPCに送信する場合、該スキャンした画像データを受信した人は誰でも印刷可能であり、セキュリティが保てないという課題がある。【解決手段】  画像形成装置は、オブジェクト単位で暗号鍵を作成する手段と、オブジェクト単位でセキュリティレベルを設定する手段と、スキャン画像をネットワーク機能を使用して電子メールに添付して送信する場合、宛先に応じて自動的にセキュリティレベルを決定する手段と、電子メールに添付するスキャン画像とともに暗号鍵も同時に自動的に添付する手段とを有する。【選択図】  図５
2006166333.tif 000002
【特許請求の範囲】
【請求項１】
ネットワークを介してクライアントPCと通信可能な画像形成装置において、スキャン画像をトリミングする手段と、該トリミングしたスキャン画像をオブジェクト毎に格納する手段と、該スキャン画像を印刷時、暗号化PDFに変換する手段と、該オブジェクト単位で暗号鍵を作成する手段と、該オブジェクト単位でセキュリティレベルを設定する手段と、該スキャン画像をネットワーク機能を使用して電子メールに添付して送信する場合、宛先に応じて自動的にセキュリティレベルが決定される手段と、該電子メールに添付するスキャン画像とともに該暗号鍵も同時に自動的に添付する手段を有することを特徴とする画像形成装置。
【請求項２】
画像形成装置から送信される電子メールの宛先がTo、Cc、BCcに応じて自動的にセキュリティレベルが決定されることを特徴とする請求項１記載の画像形成装置。
【発明の詳細な説明】
【技術分野】
【０００１】
本発明はネットワークを介してクライアントPCと通信可能な画像形成装置の中で特に、スキャナ機能も同時に有する画像形成装置に関するものである。
【背景技術】
【０００２】
近年の情報通信インフラの整備によって、「いつでもどこでも気軽にネットワークにアクセス」できるようになり、コンピュータだけでなく情報家電や電子タグがネットワークに接続される「ユビキタス社会」の構築が進み、情報セキュリティの問題が大きな注目を集めている。
【０００３】
「ユビキタス社会の進展」とともに、社会の重要なインフラの防御、個人情報保護の観点から、情報セキュリティの問題は一層重要となる。
【０００４】
その中で、スキャンした画像データをE-mailに添付して送信する技術がある（例えば、特許文献１）。
【特許文献１】特開２００２−１４２０６３号公報
【発明の開示】
【発明が解決しようとする課題】
【０００５】
しかしながら従来の技術では、スキャンした画像データをE-mailに添付してクライアントPCに送信する場合、該スキャンした画像データを受信した人は誰でも印刷可能であり、セキュリティが保てないという課題がある。
【課題を解決するための手段】
【０００６】
本発明は以下の手段を有することによって、上記問題点を解決することができる。
【０００７】
１．スキャン画像をトリミングする手段。
【０００８】
２．該トリミングしたスキャン画像をオブジェクト毎に格納する手段。
【０００９】
３．該スキャン画像を印刷時、暗号化PDFに変換する手段。
【００１０】
４．該オブジェクト単位で暗号鍵を作成する手段。
【００１１】
５．該オブジェクト単位でセキュリティレベルを設定する手段。
【００１２】
６．該スキャン画像をネットワーク機能を使用して電子メールに添付して送信する場合、宛先に応じて自動的にセキュリティレベルが決定される手段。
【００１３】
７．該電子メールに添付するスキャン画像とともに該暗号鍵も同時に自動的に添付する手段。
【００１４】
８．画像形成装置から送信される電子メールの宛先がTo、Cc、BCcに応じて自動的にセキュリティレベルが決定される手段。
【発明の効果】
【００１５】
その結果、画像形成装置でスキャンした画像データを印刷する場合、画像データのセキュリティが保たれるという効果がある。
【発明を実施するための最良の形態】
【００１６】
以下本実施例を示す全体構成、画像形成装置の断面図、光学ユニットブロック図、コントローラブロック図、及び画像形成装置とクライアントPCの処理を説明するフローチャートを用いて実施例を説明する。
【００１７】
＜全体構成＞
図１は本実施例を示す全体構成である。
【００１８】
101は画像形成装置である。
【００１９】
102はクライアントPCであり、画像形成装置101とクライアントPC103、104、105とはネットワークを介して接続している。また画像形成装置101から宛先Toで送信されるファイルを受信する。
【００２０】
103はクライアントPCであり、画像形成装置101とクライアントPC102、104、105とはネットワークを介して接続している。また画像形成装置101から宛先Cc(Carbon Copy)で送信されるファイルを受信する。
【００２１】
104はクライアントPCであり、画像形成装置101とクライアントPC102、103、105とはネットワークを介して接続している。また画像形成装置101から宛先Cc(Carbon Copy)で送信されるファイルを受信する。
【００２２】
105はクライアントPCであり、画像形成装置101とクライアントPC102、103、104とはネットワークを介して接続している。また画像形成装置101から宛先BCc(Blind Carbon Copy)で送信されるファイルを受信する。
【００２３】
＜画像形成装置の断面図、光学ユニットブロック図の説明＞
図2は画像形成装置の断面図、図3は画像形成装置の光学ユニットブロック図である。
【００２４】
図2において、227は画像形成装置本体であり、外部クライアントPCから送られる、プリンタ言語で記述されたコードデータやイメージデータを受け、これらのデータに基づいて１ページ分のマゼンタ、シアン、イエロー、ブラックの多値画像データを生成する画像生成部制御手段（=コントローラ）201（以下、単に「コントローラ」と記すことがある）と、入力多値画像データに応じて変調したレーザビームを感光ドラム上に走査することにより潜像を形成し、これを記録紙に転写した後定着させるという一連の電子写真プロセスによる記録を行う印刷部(=プリンタエンジン)203（以下エンジン）から構成される。226は操作のためのスイッチおよびＬＣＤ表示器等が配されている操作パネルである。
【００２５】
コントローラ201とプリンタエンジン203はインタフェース信号線202によって接続されている。主なインタフェース信号として、／ＲＤＹ，／ＰＲＮＴ，／ＴＯＰ，／ＬＳＹＮＣ、ＶＤＯ７〜ＶＤＯ０、ＶＣＬＫがあり、以下これについて簡単に説明する。
【００２６】
／ＲＤＹ信号は、コントローラに対してエンジンから送出される信号であって、エンジンが後述する／ＰＲＮＴ信号を受ければいつでもプリント動作を開始できる状態、またはプリント動作を継続できる状態にあることを示す信号である。
【００２７】
／ＰＲＮＴ信号は、エンジンに対してコントローラから送出される信号であって、プリント動作の開始、またはプリント動作の継続を指示する信号である。
【００２８】
／ＴＯＰ信号は、副走査（垂直走査）方向の同期信号であって、コントローラに対してエンジンから送出される。
【００２９】
／ＬＳＹＮＣ信号は、主走査（水平走査）方向の同期信号であって、コントローラに対してエンジンから送出される。ＶＤＯ７〜ＶＤＯ０信号は、エンジンに対してコントローラから送出される画像信号であって、エンジンが印字すべき画像濃度情報を示す。ＶＤＯ７が最上位、ＶＤＯ０が最下位の８ビットで表わされる。エンジンでは、ＶＤＯ７〜ＶＤＯ０信号がFFＨで現像中のトナー色の最大濃度で印字し、00Ｈで印字しない。これらは転送同期信号ＶＣＬＫに同期して送出される。
【００３０】
次に図2及び図3を用いてプリンタエンジン203における動作を説明する。
【００３１】
プリンタエンジン203はプリンタコントローラ201から／ＰＲＮＴ信号を受け取ると、不図示の駆動手段により、感光ドラム204及び転写ドラム205を図示矢印方向に回転させる。続いて、ローラ帯電器206の帯電を開始し、感光ドラム204上の電位を所定の値に均一に帯電する。次に、給紙ローラ208によって、記録用紙カセット207から記録用紙225を転写ドラム205に給紙する。転写ドラム205は、中空の支持体上に誘電体シートを張ったもので、感光ドラム204と同速で矢印方向に回転する。この転写ドラム205に記録用紙225が供給されると、転写ドラムの支持体上に設けられたグリッパ209によって記録用紙225が保持され、吸着ローラ210及び吸着用帯電器211により記録用紙1225を転写ドラム205に吸着させる。同時に、現像装置の支持体212を回転させて、支持体212に支持された４つの現像装置213M、213C、213Y、213Bkのうち、第１のトナーであるマゼンタのトナーが入った現像装置213Mを感光ドラム204に対向させる。なお、213Cはシアンのトナーが入った現像装置、213Yはイエローのトナーが入った現像装置、213Bkはブラックのトナーが入った現像装置である。
【００３２】
一方、プリンタエンジン203は、転写ドラム204に吸着された記録用紙225の先端を検出器214によって検出し、所定のタイミングで垂直同期信号／ＴＯＰを発生してコントローラ201に送出する。コントローラ201は印字ページに対する最初の／ＴＯＰ信号を受け取ると、プリンタＲＡＭ内のページメモリに格納されている画像データのうち、第１の印字色であるマゼンタのデータを所定のタイミングで読み出す。読み出された８ビットの画像データＤ７〜Ｄ０は、画像信号ＶＤＯ７〜ＶＤＯ０としてＶＣＬＫ信号に同期してプリンタエンジンに送出される。
【００３３】
コントローラより出力されたＶＤＯ７〜ＶＤＯ０信号は図3に示すようにパルス幅変調回路301に入力され、レベルに応じたパルス幅（２５６段階）のレーザ駆動信号ＶＤＯとなり、レーザドライバ302に送出される。後述する現像時において、レーザ駆動信号ＶＤＯのパルス幅に応じてトナーの付着量が調節でき、それにより、各色２５６階調の濃淡が再現される。
【００３４】
次に、図3において前記レーザ駆動信号ＶＤＯに応じて駆動されるレーザダイオード303からのレーザビーム224は不図示のモータにより矢印方向に回転駆動される回転多面鏡304で偏向され、光路上に配置された結像レンズ305を経て、感光ドラム204上を主走査方向に走査し、感光ドラム204上に潜像を形成する。このとき、ビームディテクタ206はレーザビームの走査開始点を検出し、この検出信号から主走査の画像書き出しタイミングを決定するための水平同期信号である／ＬＳＹＮＣ信号が生成される。以上述べた主走査の動作が繰り返されて１ページ分のマゼンタの潜像が感光ドラム204上に形成されていく。
【００３５】
図2に戻り、感光ドラム204上に形成された潜像は上記マゼンタのトナーが入った現像装置213Mによって現像され、マゼンタのトナー像となる。このマゼンタのトナー像は、転写用帯電器216により、回転する転写ローラ205に吸着されている記録用紙225に転写される。この際、転写されずに感光ドラム204上に残ったトナーはクリーニング装置222によって除去される。以上の動作により、記録用紙225上に１ページ分のマゼンタのトナー像が形成される。
【００３６】
次に、現像装置の支持体212を回転させて、第２のトナーであるシアンのトナーが入った現像装置213Cを感光ドラム204に対向させる。続いて、マゼンタのときと同様に、転写ローラ205に吸着されたまま回転する記録用紙225の先端を検出器214で検出し、垂直同期信号／ＴＯＰを発生してコントローラ201に送出する。これを受けてコントローラ201はページメモリからシアンのデータを読み出す。以下、同様の動作により、記録用紙225上にはマゼンタのトナー像に重ねてシアンのトナー像が転写される。
【００３７】
更に、同様にして第３のトナーであるイエロー、第４のトナーであるブラックのトナー像が記録用紙225上に重ねて転写され、フルカラーのトナー像となる。上記４色のトナー像が全て転写された記録用紙225は、分離帯電器217を経て、分離爪218によって転写ドラム205から剥がされ、搬送手段219により定着装置220に供給される。また、このとき、転写ドラムクリーナ223によって転写ドラム表面の清掃が行なわれる。記録用紙上のトナー像は定着装置220で加熱、加圧されることによって熔融固着され、最終的なカラー出力画像となる。そして記録の終了した記録用紙は排紙トレイ221に排紙される。
【００３８】
＜画像形成装置のコントローラブロック図の説明＞
図4は画像形成装置のコントローラブロック図である。
【００３９】
401はクライアントPCである。
【００４０】
402は画像形成装置内の受信バッファであり、クライアントPC401よりコマンド及びデータ等の受信バッファを一時的に蓄える。
【００４１】
403はROMであり、後述する図５のフローチャートによる一連の制御を実現するためのプログラムや内蔵フォント等が格納されている。
【００４２】
404はROM403上にあるコマンド制御部である。
【００４３】
405はROM403上にある中間データオブジェクト作成部であり、描画処理を行い、RAM416上にあるPDLデータメモリ417に格納されているPDLデータより中間データオブジェクトを作成し、RAM416上にある中間データオブジェクトメモリ418に格納する。
【００４４】
406はROM403上にあるレンダリングデータ作成部であり、レンダリング処理を行い、RAM416上にある中間データオブジェクトメモリ418に格納されている中間データオブジェクトをバンド単位でレンダリングデータ（ビットマップデータ）に落とし、RAM416上にあるレンダリングバンドメモリ420にレンダリングデータを格納する。
【００４５】
407はROM403上にあるスキャナ画像処理部であり、スキャナ部429から来る画像データの処理を行う。
【００４６】
408はROM403上にある暗号化PDF作成部であり、電子メールに添付する暗号化PDFを作成する。
【００４７】
409はROM403上にある暗号鍵作成部であり、電子メールに添付する暗号鍵を作成する。
【００４８】
410はROM403上にある画像回転部であり、スキャナ画像、プリント画像を回転し、RAM416上の画像回転メモリ422に格納する。
【００４９】
411はROM403上にある画像圧縮部であり、スキャナ画像、プリント画像を圧縮し、RAM416上の画像圧縮メモリ423に格納する。
【００５０】
412はROM403上にあるネットワーク制御部である。
【００５１】
413はROM403上にあるパネルｉ／ｆ制御部である。
【００５２】
414はROM403上にあるデバイスi/f制御部である。
【００５３】
415はＣＰＵである。
【００５４】
416はＲＡＭである。
【００５５】
417はＲＡＭ416上にあるＰＤＬデータメモリであり、コマンド制御部404でコマンド解析のデータを格納する。
【００５６】
418はＲＡＭ416上にある中間データオブジェクトメモリであり、ＰＤＬデータメモリ417に格納されているＰＤＬデータから中間データオブジェクト作成部405により作成された中間データオブジェクトを格納する。
【００５７】
419はＲＡＭ416上にあるレンダリングバンドメモリであり、中間データオブジェクトメモリ418に格納されている中間オブジェクトからレンダリングデータ作成部406により作成されたレンダリングオブジェクトを格納する。
【００５８】
420はRAM416上にあるレンダリングデータメモリであり、1ページ分のレンダリングデータを格納する。
【００５９】
421はRAM416上にある暗号化PDF格納メモリであり、暗号化PDF作成部408により作成された暗号化PDFを格納する。
【００６０】
422はRAM416上にある画像回転メモリであり、画像回転部410により作成された回転された画像オブジェクトを格納する。
【００６１】
423はRAM416上にある画像圧縮メモリであり、画像圧縮部411により作成された圧縮された画像オブジェクトを格納する。
【００６２】
424はレンダリングデータメモリ420にあるレンダリングデータをエンジン427に転送するエンジン転送部である。
【００６３】
425はパネル428とのインタフェースを行うパネルi/f部である。
【００６４】
426はスキャナ429とのインタフェースを行うデバイスi/f部である。
【００６５】
427はエンジンである。
【００６６】
428はパネル部である。
【００６７】
429はスキャナ部である。
【００６８】
430はハードディスクである。
【００６９】
＜画像形成装置の処理の説明＞
次に図２〜４のハード構成を有する画像形成装置の処理を図５のフローチャートに従って説明する。
【００７０】
S501で表題、テキスト、グラフ毎にトリミングスキャンする。本実施で使用するチャートは図７で示す、表題、テキスト、グラフの３つのオブジェクトから成る。
【００７１】
S502で表題、テキスト、グラフ毎に暗号鍵を作成する。暗号鍵はクライアントPCから印刷時、印刷結果をグレーアウトする暗号の鍵である。
【００７２】
S503でスキャンしたページを画像形成装置の表示画面にプレビュー表示する。
【００７３】
S504でプレビュー表示した画面からユーザがオブジェクト毎にセキュリティレベルを設定する。本実施例では図８で示す通り、表題をセキュリティレベル１、テキストをセキュリティレベル２、グラフをセキュリティレベル３と設定するようにした。
【００７４】
S505で宛先を画像形成装置から指定する。本実施例ではToに本人、Cc（Carbon Copy）に本人が所属している事業部以外の人、BCｃ（Blind Carbon Copy）に他社の人とした。
【００７５】
S506で添付資料を暗号化PDFに変換後、電子メール機能を使用して、暗号化PDF添付して送信する。
【００７６】
S507で自動的に宛先に応じて暗号鍵を暗号化PDFに付加して送信する。宛先がToの人、つまり本人には暗号鍵を付加せず、宛先がCcの人、つまり本人が所属している事業部以外の人にはセキュリティレベル３の暗号隗を自動的に付加し、更に宛先がBCcの人、つまり他社の人にはセキュリティレベル２とセキュリティレベル３の暗号鍵を自動的に付加して送信する。
【００７７】
＜クライアントPCの処理の説明＞
次にクライアントPCの処理を図６のフローチャートに従って説明する。
【００７８】
S601で画像形成装置から送信された暗号化PDFが添付された電子メールを受信する。
【００７９】
S602でクライアントPCからドライバを使用して印刷を実行する。暗号化PDFをクライアントPCのモニタで見る場合は画像形成装置で指定した宛先に関わらず普通に見ることが可能である。しかしながら印刷を実行した場合、S605で宛先がToの人、つまり本人は全てのオブジェクトが印刷可能であるが、S604で宛先がCcの人、つまり本人が所属している事業部以外の人が印刷実行した場合、図９の様にセキュリティレベル３のグラフがグレーアウトして印刷され、S606で宛先がBCｃの人、つまり他社の人が印刷実行した場合、図１０の様にセキュリティレベル２のテキストとセキュリティレベル３のグラフがグレーアウトして印刷される。
【００８０】
（他の実施例）
（１）本実施例では画像形成装置はレーザビームを使用するプリンティングデバイスとしたが、レーザビームプリンタだけでなく、インクジェットプリンタ、ドットマトリクスプリンタ、熱転写プリンタ（昇華型を含む）、ＬＥＤプリンタ、液晶シャッタープリンタ等のプリンティングデバイスでも構わない。
【００８１】
（２）更に本実施例では描画データメモリをＲＡＭとしたが、それ以外のＲＡＭとしても構わない。
【００８２】
（３）更に本実施例ではＲＯＭでプログラム実行したが、プログラムをＲＡＭにダウンロードしても構わない。
【００８３】
（４）更に本実施例ではレンダリング処理を描画処理と同じＣＰＵで実行したが、レンダリング処理専用のＣＰＵで実行しても構わない。
【００８４】
（５）更に本実施例では描画処理を画像形成装置側で行ったが、ホストベースのドライバを使用することにより中間データオブジェクト作成までの処理を、クライアントPC側で行っても構わない。
【００８５】
（６）更に本実施例ではトリミングするオブジェクトを表題、テキスト、グラフ、イメージとしたが、それ以外のオブジェクトにセキュリティレベルを設定しても構わないし、フォームオーバレイを別オブジェクトとしてセキュリティを設定しても構わない。
【００８６】
（７）更に本実施例ではセキュリティレベルを設定する手段としては特に言及していないが、画像形成装置の表示装置、クライアントPCのリモートの表示装置等何でも構わない。
【００８７】
（８）更に本実施例では宛先Ccの人をセキュリティレベル３、宛先BCｃの人をセキュリティレベル２以上のオブジェクトを印刷不可としたが、宛先Ccの人をセキュリティレベル２、宛先BCcの人をセキュリティレベル３以上のオブジェクトを印刷不可としても構わない。
【図面の簡単な説明】
【００８８】
【図１】実施例の実施形態を示す全体構成
【図２】実施例の画像形成装置の断面図
【図３】実施例の画像形成装置の光学ユニットブロック図
【図４】実施例の画像形成装置のコントローラブロック図
【図５】実施例の画像形成装置の処理に関するフローチャート
【図６】実施例のクライアントPCの処理に関するフローチャート
【図７】画像の例を示す図
【図８】セキュリティレベルを設定する画面の図
【図９】印刷物の例を示す図
【図１０】印刷部の例を示す図
【図１】
2006166333.tif 000003
【図２】
2006166333.tif 000004
【図３】
2006166333.tif 000005
【図４】
2006166333.tif 000006
【図５】
2006166333.tif 000007
【図６】
2006166333.tif 000008
【図７】
2006166333.tif 000009
【図８】
2006166333.tif 000010
【図９】
2006166333.tif 000011
【図１０】
2006166333.tif 000012